(57)【要約】【課題】  パネル表示装置のスクリーンセーバー表示方法に関し、現画像の色合いを保ったままのフェードイン・アウト表示を可能とする。【解決手段】  本願発明のパネル表示装置のスクリーンセーバー表示方法は、ＲＧＢ三原色（Ｒ値、Ｇ値、Ｂ値）で示される表示画像データのフェードイン、もしくは、フェードアウト表示動作時に、表示画像データのＲ値、Ｇ値、Ｂ値に対する各加算値、もしくは、各減算値を、Ｒ値、Ｇ値、Ｂ値の各値の大きさに応じてそれぞれ決定することを特徴とする。【選択図】  図３
2007108602.tif 000002
【特許請求の範囲】
【請求項１】
パネル表示装置のスクリーンセーバー表示方法において、
ＲＧＢ三原色（Ｒ値、Ｇ値、Ｂ値）で示される表示画像データのフェードイン、もしくは、フェードアウト表示動作時に、前記表示画像データの前記Ｒ値、前記Ｇ値、前記Ｂ値に対する各加算値、もしくは、各減算値を、前記Ｒ値、前記Ｇ値、前記Ｂ値の各値の大きさに応じてそれぞれ決定することを特徴とするスクリーンセーバー表示方法。
【請求項２】
パネル表示装置のスクリーンセーバー表示方法において、
画像データＤｎ（ｎは０以上の整数）を、Ｄｎ＝Ｄｏ−（Ｄｏ*ｎ/ｍ）−１（ｍは所定の整数）で示される式に基づいて演算処理するフェードインアウト画像処理回路を設け、
スクリーンセーバー表示にてフェードイン・アウト表示動作時、色合いを保持したまま、フェードイン・フェードアウト表示動作を実現することを特徴とするパネル表示装置のスクリーンセーバー表示方法。
【請求項３】
パネル表示装置のスクリーンセーバー表示方法において、
フェードインアウト停止設定Ｋｎおよび除算係数ｍを設定保持する回路と、
画像データＤｎ（ｎは０以上の整数）を、Ｄｎ＝Ｄｏ−（Ｄｏ*ｎ/ｍ）−１（ｍは所定の整数）で示される式に基づいて演算処理するフェードインアウト画像処理回路と、
フェードインアウトをフェードインアウト停止設定Ｋｎに達すると停止や画像演算結果を戻すフェードインアウト制御回路を設け、
フェードインアウト画像処理回路やフェードインアウト制御回路の演算係数を可変設定可能にしたことにより、カラーフェード表示動作を実現することを特徴とするパネル表示装置のスクリーンセーバー表示方法。
【発明の詳細な説明】
【技術分野】
【０００１】
本願発明は、パネル表示装置のスクリーンセーバー表示方法に関するものであり、特に、フェードイン、もしくは、フェードアウト表示動作に関するものである。
【背景技術】
【０００２】
最近、フラットディスプレイ分野が飛躍的に発展しており、特に携帯電話・携帯オーディオの表示パネルには、液晶ディスプレイ（ＬＣＤ）に変わって、有機ＥＬディスプレイパネルに注目が集まっている。
有機ＥＬパネルは、視野性および色感に優れ、加えて大型化が可能であるが、一方でパネルの焼付きが原因で、製品寿命が短い欠点がある。
この課題については、例えば、特許文献１に開示されている。
この欠点の打開策として、スクリーンセーバー機能が有効となっている。
また、携帯向けとなると低消費電力化が必要となりソフトウェアで実現するスクリーンセーバーよりも画像データの書換えを伴わない、ハードウェアによるスクリーンセーバー機能が有効となっている。
【０００３】
さらに従来の表示制御において、フェードイン・フェードアウト等のフェード動作を行なう場合には、輝度調整回路を設け、ディスプレイの輝度信号を制御することにより行っていた。
あるいは、ＲＧＢ三原色の表示画像データを単純に“１”づつ減算・加算することで実現していた。
【０００４】
図１は、ＲＧＢ三原色を単純に減加算する従来技術のブロック構成図である。
図１において、携帯電話向け有機ＥＬドライバ２０は、ＣＰＵインタフェース１０のコントロール下で、カラムインタフェース１１およびロウインタフェース１２により、有機ＥＬ表示パネルの表示制御を可能とする。
ドライバ内部ではＣＰＵバスＩＦ２１でＣＰＵライトリード制御に対応し、ＲＡＭ書換部２２で内蔵グラフィックＲＡＭ２３に表示画像を蓄積する構成をとる。また内部には発信器２７を有し、タイミング制御部２４にてパネル表示制御側のタイミング制御を行なう。
また、ＦＩＯ（ＦａｄｅＩｎＯｕｔ）制御部２５では、ＲＧＢ三原色（ＲＧＢ＊６ｂｉｔ）のデータを表示用ＲＡＭからリードし、ＦＩＯタイミング制御２６にて生成されたフェードイン・フェードアウト制御回路に従って、表示データのモディファイを実施し、フェード動作を実現している。
ＦＩＯ制御部でフェード動作の処理をされたデータは、カラムドライバ２８からカラム制御を、またロウドライバ２９にてスキャンラインの選択が行なわれる。
【０００５】
次に、図２に従来技術でのＦＩＯ制御部のデータ加工の様子を示す。
この例では、表示用ＲＡＭに保存されたデータがＲ＝６３、Ｇ＝１６、Ｂ＝３２の場合を考える。  
フェードアウト動作時は、ｎ＝０からｎ＝６３に向かって処理され、Ｒｎ、Ｇｎ、Ｂｎはｎがカウントアップする毎に、“０”になるまで“−１”され“０”を維持する。
フェード動作の開始時に、図１のＣＰＵインタフェース１０によりＣＰＵからフェードイン・フェードアウト表示動作の開始指示を受信後、制御回路が自律で図２に示すＦＩＯ制御を実現する。
図５に従来の表示画像を示す。（１）はｎ＝０での表示画像(表示用ＲＡＭの画像)、（２）はｎ＝２１での表示画像、（３）はｎ＝４２での表示画像である。
【特許文献１】特開２００１−３１８６５０
【発明の開示】
【発明が解決しようとする課題】
【０００６】
しかしながら表示制御においては、フェード動作を行うための輝度調整回路を設けた場合、回路構成が複雑になったり、余計なＣＰＵ制御が必要となり、コストや消費電流が上昇という問題点があった。さらにフェード動作を輝度調整回路で行なう場合、白か黒の表示にしかフェード表示させることができないという欠点があった。また、白か黒以外へのフェード表示を行なう場合、輝度調整回路がＲＧＢ個別に必要となってしまう欠点もあった。
あるいは、ＲＧＢ三原色の表示画像データに対し、単純に“１”づづ減加算した場合、元画像の色相が変わってしまう欠点があった。
【０００７】
この問題を解決するために、本発明はＲＧＢ三原色の表示画像データに対し、色相を変えない減加算アルゴリズムで制御する制御ブロックを設けたことで、現画像の色合いを保ったままのフェードイン・アウト表示が可能となる。
【課題を解決するための手段】
【０００８】
本願発明のパネル表示装置のスクリーンセーバー表示方法は、ＲＧＢ三原色（Ｒ値、Ｇ値、Ｂ値）で示される表示画像データのフェードイン、もしくは、フェードアウト表示動作時に、表示画像データのＲ値、Ｇ値、Ｂ値に対する各加算値、もしくは、各減算値を、Ｒ値、Ｇ値、Ｂ値の各値の大きさに応じてそれぞれ決定することを特徴とする。
【発明を実施するための最良の形態】
【０００９】
以下、本願発明の実施例について図面を参照して詳細に説明する。なお、全図面を通して同様の構成には同様の符号を付与する。
【実施例１】
【００１０】
図３に第１の実施例の構成図を示す。  従来技術の構成図と比較して、ＦＩＯ制御部２５の演算式のみ変更されている。
【００１１】
本願発明のパネル表示装置のスクリーンセーバー表示方法は、ＲＧＢ三原色（Ｒ値、Ｇ値、Ｂ値）で示される表示画像データのフェードイン、もしくは、フェードアウト表示動作時に、従来技術では、元画像の値に関わらず一律、“±１”されているのに対し、本願発明では、表示画像データのＲ値、Ｇ値、Ｂ値に対する各加算値、もしくは、各減算値を、Ｒ値、Ｇ値、Ｂ値の各値の大きさに応じてそれぞれ決定することを特徴とする。
ここで、Ｒ値は画像データの赤色の輝度を示すデータであり、Ｇ値は画像データの緑色の輝度を示すデータであり、Ｂ値は青色の輝度を示すデータである。
画像データはこのＲ値とＧ値とＢ値とから成る、例えば６ビットのデータにより示される。
【００１２】
例えば、第１の実施例では、元画像とＦＩＯタイミング制御部２６からの制御タイミングの乗算結果を“６４”で除算したしたものを引いている。
例えば、制御タイミングｎのＲ値は、次式で示される。
Ｒｎ＝Ｒｏ−（Ｒｏ*ｎ/６４）−１（ｎは０以上の整数、ＲｏはＲ値の初期値）
従って、元画像の値が大きければ、減算値も大きくなるという制御アルゴリズムで制御する。  さらに“−１”しているのは、右シフトにより切捨てられた小数点以下の数値があるため、ｎ＝６３で必ず“０”の値となるようにするためである。
【００１３】
図４に第１の実施例での表示画像遷移を示す。
図４は制御タイミングｎ（０〜６３の整数）における各Ｒ値、Ｇ値、Ｂ値を示す。
図４において、ｎ＝３での値に着目すると、Ｒｎは“６３”から“−１”づつ減算され“６０”になっているのに対し、Ｇｎは“１６”だったデータが、まだ“１５”であり元画像の割合に応じて減算されているのが分かる。
【００１４】
図２と図４を比較してみると、Ｇｎは“１６”であったデータが、図２ではｎ＝１６ではやくも“０”になっているのに対し、図４ではｎ＝６０でようやく"０“に遷移していることが分かる。
【００１５】
また、図６は第２の実施例での表示画像である。図５と図６を比較すると分かるが、（１）は図５、図６共に元画像なので同じであるが、（３）では図５の方はコントラストが大きくなっている。つまり、画像の一部において、元画像と比べ、色が際立ってしまう状態のことである。
【００１６】
それに対し、図６は元画像の輝度を落とした画像に近くなっており、元画像の色相を保つことが可能である。
有機ＥＬは色感に優れているため、色合いの変化が顕著に現れるため第１の実施例は効果が大いにある。
【００１７】
またフェードイン・フェードアウト表示動作は、元画像から黒表示まで遷移してフェード動作を停止する１ＴＩＭＥモードと、元画像から黒表示のフェード動作を繰返して表示を行なうＲＥＰＥＡＴモードを具備している。
【００１８】
さらに、表示ＯＮと組合わせることで、ディスプレイオフ状態の黒表示から、元画像までフェードインして表示動作を開始する、フェードイン表示起動や、表示ＯＦＦと組合わせることで、ディスプレイオン状態からフェードアウト表示動作後、ディスプレイオフとなる、フェードアウトＯＦＦ表示等のバリエーションも可能となる。
【実施例２】
【００１９】
次に、図７に第２の実施例の構成図を示す。
第１の実施例と比較してＦＩＯ制御部２５の演算式が変更されており、またＣＰＵ制御により、フェードアウト停止設定Ｋｒ，Ｋｇ，Ｋｂ（それぞれ６ビット）および除算係数ＫｄをＦＩＯ制御部へ引き込んでいる。
このＫｄは表示用ＲＡＭに蓄積された元画像から、除算する除算値をパラメータ化したものであり、可変設定が可能となってなる。
【００２０】
さらに、元画像からフェードアウト表示を行なった場合、フェードアウトを停止する画像データ値をパラメータ化したものであり、同じく可変設定が可能となる。
このフェードアウト停止設定（Ｋｒ、Ｋｇ、Ｋｂ）をパラメータ化することで、元画像と黒画像の間のフェードイン・アウト表示だけでなく、元画像と中間データの間のフェードイン・アウト表示が可能となる。
例えば、ＲＥＰＥＡＴモード時は、元画像表示からフェードアウト表示を行い、フェードアウト停止設定画像(Ｋｒ，Ｋｇ，Ｋｂ)まで表示後、再び元画像までフェードイン表示を行ない、以後これを繰り返す表示動作が可能となる。
【００２１】
さらに、ＲＧＢ個別のフェード動作が可能となりカラーフェード表示に対応でき、スクリーンセーバー表示範囲のバリエーションが飛躍的に広がる。
例えば、Ｋｇ＝６３とした場合は、Ｇのみフェード動作をしないフェード動作となり、色合いを故意に変化させて表示することが可能になる。
【００２２】
第１と第２の実施例は、有機ＥＬパネルディスプレイのスクリーンセーバーについて適用した例を説明したが、同様な表示制御を採る液晶パネルやさまざまな表示パネルの制御にも適用可能である。
また、第１の実施例では、ＲＧＢの演算式の除算値を“６４”として説明したが、色合いを保持できる整数値ｍを用いることができる。
Ｒｎ＝Ｒｏ−（Ｒｏ*ｎ/ｍ）−１
【図面の簡単な説明】
【００２３】
【図１】従来の有機ＥＬドライバを説明するブロック図。
【図２】従来の表示画像の遷移の様子を示す図。
【図３】本願発明の実施例１における有機ＥＬドライバを説明するブロック図。
【図４】本願発明の実施例１における表示画像の遷移の様子を示す図。
【図５】従来の表示画像のフェードイン・フェードアウトの様子を示す図。
【図６】本願発明の実施例１における表示画像のフェードイン・アウトの様子を示す図。
【図７】本願発明の実施例２における有機ＥＬドライバを説明するブロック図。
【符号の説明】
【００２４】
１０  ＣＰＵインタフェース
１１  カラムインタフェース
１２  ロウインタフェース
２０  有機ＥＬドライバ
２１  ＣＰＵバスＩＦ
２２  ＲＡＭ書換部
２３  表示用ＲＡＭ
２４  タイミング制御部
２５  ＦＩＯ制御部
２６  ＦＩＯタイミング制御部
２７  発信器
２８  カラムドライバ
２９  ロウドライバ
【図１】
2007108602.tif 000003
【図２】
2007108602.tif 000004
【図３】
2007108602.tif 000005
【図４】
2007108602.tif 000006
【図５】
2007108602.tif 000007
【図６】
2007108602.tif 000008
【図７】
2007108602.tif 000009